(57)【要約】【課題】  被清掃面、例えば、壁や棚、遊技機で使用される遊技媒体を移送する遊技媒体移送装置の樋に固着した汚れを除去する。【解決手段】  透磁性を有する板状の本体部２と、本体部２の一方の面部に配設され、本体部２の他方の面部側に磁界を形成する磁石３と、磁石３の上側を覆うように本体部２の一方の面部に配設され、本体部２の一方の面部に対して凸部を有する磁石カバー４と、本体部２に配設された長尺の把持部５と、本体部２を覆った清掃シートＳを抑えるためのシート押さえ部材６と、を備える。磁石３によって、本体部２が被清掃面に密着するので、被清掃面に固着した汚れＤを確実に除去する。【選択図】  図１
2015205119.tif 000002
【特許請求の範囲】
【請求項１】
汚れが付着した被清掃面を清掃する清掃具であって、
板状の本体部と、
前記本体部の一方の面部を、前記被清掃面に押し付ける方向の押圧力を付与する押圧力付与手段と、
前記本体部の基端部側に配設された長尺の把持部と、
を備えることを特徴とする清掃具。
【請求項２】
前記本体部を覆う清掃シートと、
を備えることを特徴とする請求項１に記載の清掃具。
【請求項３】
前記押圧力付与手段は、前記本体部の少なくとも一方の面部側に磁界を形成する磁石で構成され、
前記本体部の他方の面部側には、凸状部が形成されている、
ことを特徴とする請求項１または２に記載の清掃具。
【請求項４】
前記本体部を覆った清掃シートを抑えるためのシート押さえ部材と、
を備えることを特徴とする請求項１から３のいずれか１項に記載の清掃具。
【請求項５】
前記磁石は、磁力の大きさを調節可能な電磁石で構成されている、
ことを特徴とする請求項１から４のいずれか１項に記載の清掃具。
【請求項６】
前記本体部の前方を撮影可能な撮影手段と、
を備えることを特徴とする請求項１から５のいずれか１項に記載の清掃具。
【発明の詳細な説明】
【技術分野】
【０００１】
この発明は、被清掃面、例えば、壁や棚、遊技機で使用される遊技媒体を移送する遊技媒体移送装置の樋の汚れを清掃するための清掃具に関する。
【背景技術】
【０００２】
例えば、遊技球やメダルなどの遊技媒体を使用した遊技機が設置されている遊技場においては、複数台の遊技機が設置された遊技機島に配設されており、遊技機島内において所定数の遊技媒体が循環するように補給装置や貯留装置が配設されている。補給装置や貯留装置などの遊技媒体移送装置の樋は、遊技媒体に付着した汚れ、手垢、油、煙草のヤニ、遊技機や遊技機島から出た粒子などが樋に付着、粘着等して汚れており、汚れがひどくなると、遊技媒体の移送速度が遅くなったり、遊技媒体が詰まり遊技媒体を移送できなくなったりすることがあるため、定期的に汚れの拭き取りを行う必要がある。
【０００３】
ところが、樋の設置位置によっては、人の手が届かない箇所があるため、清掃する際に遊技媒体移送装置を分解しなくてはならないことがあり、清掃作業に多大な手間と時間とを有していた。また、樋に固着した汚れの場合、人がある程度の力を入れて拭き取らなければ汚れを取ることができないため、手の届かない樋を単に板状材などに清掃シートを取り付けて、樋に差し込んで拭き取るだけでは、汚れを取り除くことが出来ない汚れがあった。
【０００４】
ところで、清掃具としてメダルが投入し得るように所定の長さ及び幅を有するスリット状メダル投入口の汚れを清掃する遊技機のメダル投入口清掃具に関する技術が知られている（例えば、特許文献１参照。）。この技術は、スリット状メダル投入口の長さ及び幅より小さい幅及び厚さを有する所定長さの薄板状芯材と、この薄板状芯材の一端に設けた把手とを備え、薄板状芯材全体が収容できるように薄板状芯材の幅及び長さに対応する形状の布製袋体からなる汚れ拭き取り部材を薄板状芯材に対して着脱可能に装着するものである。また、クリップや金属屑などの金属物などや固形状のゴミを捕獲することができ、飛散し易い埃などであればその捕獲能力を格段に高めることができ、しかも部屋の隅々まで容易且つ確実に清掃できる掃除具に関する技術が知られている（例えば、特許文献２参照。）。この技術は、拭布を基板に保持する保持具を備え、基板の裏面側に膨出部を設け、この膨出部により基板前後の端縁部と床面との間に隙間を形成するものである。
【先行技術文献】
【特許文献】
【０００５】
【特許文献１】実用新案登録第３０８３１８１号公報
【特許文献２】特開平０８−１８７２１０号公報
【発明の概要】
【発明が解決しようとする課題】
【０００６】
このように、特許文献１、２に記載の何れの技術であっても、遊技媒体移送装置の樋には適した形状ではない。また、樋に付着した汚れは固着しており除去しにくいため、清掃シートなどでふき取るように掃除するだけでは除去することができない。
【０００７】
そこでこの発明は、被清掃面、例えば、壁や棚、遊技機で使用される遊技媒体を移送する遊技媒体移送装置の樋に固着した汚れを除去することが可能な清掃具を提供することを目的とする。
【課題を解決するための手段】
【０００８】
上記課題を解決するために、請求項１に記載の発明は、汚れが付着した被清掃面を清掃する清掃具であって、板状の本体部と、前記本体部の一方の面部を、前記被清掃面に押し付ける方向の押圧力を付与する押圧力付与手段と、前記本体部の基端部側に配設された長尺の把持部と、を備えることを特徴とする清掃具である。
【０００９】
この発明によれば、押圧力付与手段によって、本体部の一方の面部を、前記被清掃面に押し付ける方向の押圧力が付与されるので、被清掃面に本体部が密着する。これにより、清掃具の本体部が被清掃面に強固に密着した状態で押し引きすると、被清掃面に固着した汚れが確実に取り除かれる。
【００１０】
請求項２に記載の発明は、請求項１に記載の清掃具において、前記本体部を覆う清掃シートと、を備えることを特徴とする。
【００１１】
請求項３に記載の発明は、請求項１または２に記載の清掃具において、前記押圧力付与手段は、前記本体部の少なくとも一方の面部側に磁界を形成する磁石で構成され、前記本体部の他方の面部側には、凸状部が形成されている、ことを特徴とする。
【００１２】
請求項４に記載の発明は、請求項１から３のいずれか１項に記載の清掃具において、前記本体部を覆った清掃シートを抑えるためのシート押さえ部材と、を備えることを特徴とする。
【００１３】
請求項５に記載の発明は、請求項１から４のいずれか１項に記載の清掃具において、前記磁石は、磁力の大きさを調節可能な電磁石で構成されている、ことを特徴とする。
【００１４】
請求項６に記載の発明は、請求項１から５のいずれか１項に記載の清掃具において、前記本体部の前方を撮影可能な撮影手段と、を備えることを特徴とする。
【発明の効果】
【００１５】
請求項１の発明によれば、押圧力付与手段によって、本体部の一方の面部側に、被清掃面に対する押圧力が付与されるので、本体部は被清掃面に強固に密着する。これにより、本体部が被清掃面に強固に密着した状態で、清掃具を被清掃面上で押し引きすると、被清掃面に固着した汚れを確実に取り除くことができる。
【００１６】
また、押圧力付与手段によって被清掃面に密着するため、例えば、垂直に配置された被清掃面や、長尺の把持部によって手が届く、直接手の届かない離れた場所の被清掃面であっても、同じ力加減で清掃することができる。
【００１７】
請求項２の発明によれば、本体部が清掃シートによって覆われているので、被清掃面に固着した汚れを拭き取り掃除することができる。
【００１８】
請求項３の発明によれば、磁石によって、本体部の少なくとも一方の面部側に磁界が形成されるので、本体部は磁性体で構成された被清掃面に強固に密着する。これにより、清掃具の本体部が被清掃面に強固に密着した状態で、清掃具を被清掃面上で押し引きすると、被清掃面に固着した汚れを確実に取り除くことができる。しかも、本体部の他方の面部側には、凸状部が形成されているので、例えば、磁性体で構成された筒状の被清掃部を掃除する際に、本体部が被清掃面以外の面に対しても、押し付ける方向の押圧力が付与されたとしても、接触面積が小さくなるので、外し易い。
【００１９】
請求項４の発明によれば、本体部を覆った清掃シートを抑えるためのシート押さえ部材を有しているので、清掃具を被清掃面に押したり引いたりした際に、清掃シートのずれを防止することができる。
【００２０】
請求項５の発明によれば、磁石は、磁力の大きさを調節可能な電磁石で構成されているので、遊技媒体移送装置の樋や、汚れの状態に合わせて適切な磁力を得ることが可能となり、確実に清掃することができる。
【００２１】
請求項６の発明によれば、撮影手段によって内部の様子が撮影可能なので、樋を清掃しながら汚れが除去できたかどうかを視認することができる。
【図面の簡単な説明】
【００２２】
【図１】この発明の実施の形態に係る清掃具を示した斜視図である。
【図２】図１の清掃具を示した平面図である。
【図３】図１の清掃具を示した側面図である。
【図４】図１の清掃具に清掃シートを取り付ける状態を示す概略図であり、清掃シートを折り畳む前の状態を示す図である。
【図５】図１の清掃具に清掃シートを取り付ける状態を示す概略図であり、清掃シートを半分に折り畳んだ状態を示す図である。
【図６】図１の清掃具に清掃シートを取り付ける状態を示す概略図であり、清掃シートを本体部に沿って折り畳んだ状態を示す図である。
【図７】図１の清掃具に清掃シートを取り付けた状態を示す概略図であり、清掃シートを本体部に取り付けた状態を示す図である。
【図８】図１の清掃具を遊技媒体移送装置の樋に差し込む状態を示す概略図である。
【図９】図１の清掃具で清掃する遊技媒体移送装置の樋を示す概略図である。
【図１０】図１の清掃具で清掃する遊技媒体移送装置の樋を示す概略図であり、スノコを取外した状態を示す図である。
【図１１】図１の清掃具で遊技媒体移送装置の樋を清掃している様子を示す概略図である。
【図１２】図１の清掃具で清掃する遊技媒体移送装置の樋を示す概略図である。
【図１３】図１の清掃具で清掃する遊技媒体移送装置が配設された遊技機島を示す概略図である。
【発明を実施するための形態】
【００２３】
以下、この発明を図示の実施の形態に基づいて説明する。
【００２４】
（実施の形態１）
図１ないし図１３は、この発明の実施の形態に係る清掃具１を示す図であり、この実施の形態では、清掃具１は、図１２、図１３に示すように、遊技機１１０で使用する遊技球やメダルなどの遊技媒体（図示略）を移送し、遊技機１１０に遊技媒体を補給する補給装置や、遊技媒体を貯留する貯留装置を含む遊技媒体移送装置の樋を清掃するものとする。
【００２５】
ここで、遊技媒体移送装置は、遊技機１１０で使用された遊技球の中で入賞しなかったアウト球を回収して遊技機島１００の上方に移送するための装置である。遊技機島１００には、複数台の遊技機１１０が設置されており、下方には、遊技機１１０の入賞口やアウト口等に入球して外部へ排出された遊技球を受ける遊技球回収タンク１４０が配設され、上方には、遊技機１１０に遊技球を供給する遊技球供給タンク１５０が配設されている。この実施の形態では、遊技球を遊技機島１００に補給するための補給装置１２０の中の汚れ玉通路（樋）１３０の清掃について説明する。ここで、樋１３０は、磁性体で構成されているものとする。
【００２６】
「清掃具１の構成」
この清掃具１は、図１ないし図３に示すように、主として、本体部２と、押圧力付与手段としての磁石３と、凸状部としての磁石カバー４と、把持部５と、シート押さえ部６とを備えている。
【００２７】
「本体部２の構成」
本体部２は、透磁性を有する板材であり、主として、先端部２ａと、基端部２ｂと、軸部２ｃとを有しており、略三角形に形成されている。具体的には、本体部２は、基端部２ｂ側の幅が先端部２ａ側の幅よりも狭く形成され、先端部２ａ側の幅が被清掃面の補給装置１２０の樋１３０の幅と略同等に設定されている。本体部２は、略三角形に形成されているので、樋１３０から引き抜く際に、樋１３０と樋１３０の突合せ部分（接続部分）などに引っ掛って抜けなくなることが防止できる。
【００２８】
「磁石３の構成」
磁石３は、本体部２の一方の面部（清掃時の上面部）に配設され、本体部２の他方の面部（清掃時の底面部、被清掃面との接触面）側に磁界を形成するものであり、例えば、ネオジム磁石などで構成されている。この磁石３によって形成される磁界の強さは、磁石３が貼り付けられた本体部２の他方の面部を樋１３０に押し当てた際に、樋１３０と強固に密着する程度の大きさに設定されている。
【００２９】
「磁石カバー４の構成」
磁石カバー４は、磁石３の上方を覆うように配設されるものであり、磁性体で構成された板材を、凸部（山部）４ａと、平面部４ｂを有する形状に加工したものである。磁石カバー４は、山部４ａが本体部２の一方の面部に対して凸状となるように、平面部４ｂと本体部２の一方の面部とを重ね合わせた状態で、固定ネジ４１、４２によって本体部２に固定されている。ここで、磁石カバー４が、凸型（山型）になっている理由について説明する。被清掃面である樋１３０のカバー（蓋）は磁性体で作成されているので、清掃時に本体部２がカバーに吸着されても、凸部の頂部のみがカバーに接触して接触面積が小さくなり、カバーから外れ易いためである。
【００３０】
「把持部５の構成」
把持部５は、可橈性を有する長尺の平板で構成され、作業者が把持するためのものであり、本体部２の軸部２ｃ側に配設されている。この把持部５は、本体部２の軸部２ｃと重ね合わせた状態で、固定ネジ２１によって固定されている。把持部５は、先端部５ａが、上側から下側に向かってテーパを有する形状に設定されている。この先端部５ａに形成されたテーパにより、引き抜く際に先端部５ａが樋入口１３１に引っ掛からずに、スムースに抜くことができるようになっている。
【００３１】
「シート押さえ部６の構成」
シート押さえ部６は、本体部２を覆った清掃シートＳを抑えるためのものであり、蝶ネジ６１を介して、本体部２に対して回動自在に係止された平板である。シート押さえ部６は、蝶ネジ６１を緩めた状態では本体部２に対して回動自在であり、蝶ネジ６１を締めた状態では本体部２に沿って係止する。清掃シートＳの取付時は、図６に示すように、蝶ネジ６１を緩めてシート押さえ部６が本体部２に重ならないようにして、図７に示すように、清掃シートＳを本体部２に被せた状態で、シート押さえ部６を本体部２に重なるようにして、蝶ネジ６１を締めて清掃シートＳを押さえる。これにより、本体部２を覆った清掃シートＳの重ね合わせ部を押さえるようになっている。
【００３２】
「清掃具１の作用」
次に、このような構成の清掃具１の作用などについて説明する。
【００３３】
まず、図４に示すように、蝶ネジ６１を緩めてシート押さえ部６が本体部２に重ならないようにした状態で、広げた清掃シートＳの上に本体部２が置かれる。
【００３４】
そして、図５に示すように、清掃シートＳが折り目Ｓａで折り返されて、さらに、図６に示すように、折り目Ｓｂ、Ｓｃで折り畳まれる。すなわち、清掃シートＳが本体部２に沿って折り畳まれて本体部２を覆った状態とされる。
【００３５】
そして、図７に示すように、清掃シートＳを本体部２に被せた状態で、シート押さえ部６を本体部２に重なるように回動させて、蝶ネジ６１を締めて清掃シートＳの重ね合わせ部を押さえた状態で係止する。
【００３６】
つぎに、図８に示す補給装置１２０のスノコ１２０が取り外されて、図９に示すように、スノコ１２０の受け部１２１に溜まっている遊技球やゴミなどが取り除かれる。
【００３７】
そして、図１０、図１１に示すように、清掃具１を、シート押さえ部６が上側に位置した状態で、補給装置１２０の樋入口１３１に挿入して押したり引いたりすることにより、樋１３０に固着した汚れＤが除去される。このとき、清掃具１は磁石３によって樋１３０に強固に固着している。具体的には、本体部２の底面側が、磁石３によって樋１３０に押圧されて密着するので、先端部２ａ側で樋１３０に固着した汚れＤを剥がすことができる。このとき、剥がされた汚れＤは、清掃シートＳに付着し回収することができる。
【００３８】
樋１３０の清掃が終了して、清掃具１を補給装置１２０から引抜く際には、テーパが形成されているため、図１２に示す樋入口１３１の段差１３１ａなどに引っ掛かることがなく、スムースに引き抜くことができる。
【００３９】
以上のように、この清掃具１によれば、磁石３によって、本体部２の他方の面部側に磁界が形成されるので、本体部２が補給装置１２０の樋１３０に強固に密着する。これにより、本体部２が樋１３０に強固に密着した状態（樋１３０に対して押圧力が加わった状態で）で押し引きすることができるので、樋１３０に固着した汚れＤを確実に取り除くことができる。また、本体部２は、先端部２ａ側の幅が補給装置１２０の樋１３０の幅と略同等に設定されているので、清掃具１を樋１３０に挿入して押したり引いたりするだけで、樋１３０の全面の汚れＤを除去することができる。このため、樋１３０の清掃のために、補給装置１２０を分解する必要がなくなり、清掃作業に要する手間と時間とを削減できる。
【００４０】
また、磁石３によって本体部２が樋１３０に密着するため、例えば、垂直に配置された樋１３０や、長尺の把持部５によって手が届く、直接手の届かない離れた場所の樋１３０であっても、同じ力加減で清掃することができる。
【００４１】
また、清掃具１によれば、例えば、工事の際に生じた金属の切断片を含む金属片を吸着することが可能である。磁石３は、磁石カバー４によって上方が覆われているため、樋１３０に挿入した際に、樋１３０の通路側（下側）のみに密着し、不用意に上面部に密着してしまうことを防止するので取扱いが容易である。これにより、清掃作業に要する手間と時間とを削減できる。
【００４２】
また、本体部２は、基端部２ｂ側の幅が先端部２ａ側の幅よりも狭く形成されているので、補給装置１２０の樋１３０に挿入して掃除をした後に引き抜く際に、樋１３０と樋１３０の突合せ部分（接続部分）などに引っ掛って抜けなくなることが防止できる。すなわち、容易に引き抜くことができる。しかも、本体部２は略三角形状であるため、本体部２を樋１３０から引き抜く際にも、清掃シートＳが抜けにくくなっている。
【００４３】
さらに、把持部５が可橈性を有し、補給装置１２０の樋１３０の形状に合わせて変形するので、清掃具１が樋１３０に密着した状態が維持され、確実に汚れＤを除去することができる。また、例えば、棚上等の見えない所や、直接手が届かない離れた場所であっても、本体部２が被清掃面に密着しているので、所定の力を被清掃面に与えて清掃することができる。これにより、樋１３０の形状が異なる場合や異なる場所であっても、１つの清掃具１によって所定の力で清掃することができる。
【００４４】
しかも、本体部２を覆った清掃シートＳを抑えるためのシート押さえ部材６を有するので、清掃具１を樋１３０に挿入して押したり引いたりしても、清掃シートＳのずれを防止することができる。
【００４５】
（実施の形態２）
この実施の形態が実施の形態１と異なるところは、樋１３０の内部の様子を撮影可能な撮影手段としてのカメラ（図示略）を、把持部５（または本体部２）に角度自在に配設している点である。カメラによって撮影された画像を、外部のモニタなどにリアルタイムに送信し表示することで、樋１３０の形状や、汚れＤの状態を視認しながら清掃することができる。
【００４６】
また、本体部２に本体部２の樋１３０の内部を照明する照明手段（図示略）を配設すれば、被清掃面を明るくすることができるので、鮮明な画像を撮影でき、汚れＤの状態を更に詳細に視認して清掃することができる。さらに、カメラによって撮影した画像を記憶手段（図示略）に記憶すれば、清掃の実施記録（作業日誌）の作成や、次の清掃までの期間の設定を含む清掃の管理作業を支援することができる。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の発明の実施では、磁石３は、ネオジム磁石で構成するものとして説明したが、磁力の大きさを調節可能な電磁石で構成してもよい。この場合は、補給装置１２０の樋１３０の形状や、被清掃面である樋１３０の汚れＤの状態に合わせて適切な磁力に設定することが可能となり、より確実に清掃することができる。
【００４８】
また、磁石カバー４は、図１や図３に示したような形状には限定されず、本体部２の一方の面部側に突出した凸部を有する形状で、清掃時に本体部２が被清掃面以外に吸着したとしても、接触面積が小さくなるような形状であればよい。具体的には、例えば、複数の凸部を有する波型や、台形型、突起状などでもよい。
【００４９】
また、押圧力付与手段は磁石に限定されず、例えば、本体部２上に配設されたおもり等によって、本体部２が被清掃面側に押圧されて密着するようにしてもよい。
【００５０】
また、本体部２上に磁石３を配設するものとして説明したが、本体部２を磁性体で構成してもよい。また、本体部２を箱型として、内部に磁石３やおもり等を収容可能としてもよい。
【００５１】
押圧力付与手段としては、磁石には限定されず、本体部２の他方の面部側に、被清掃面に対する押圧力を付与するものであればよい。例えば、本体部２が空気を吸引することにより被清掃面に押し付ける方向の押圧力を付与するようにしてもよい。さらにまた、例えば、被清掃面が筒状で、対向面を有する場合は、本体部２は対向面側から被清掃面側に付勢する付勢手段（例えば、バネ）を備え、本体部２が被清掃面に密着する構成としてもよい。
【００５２】
本体部２を清掃シートＳで覆うものとして説明したが、本体部２の他方の面部に清掃シートＳと同様の汚れＤの拭き取り機能を有するシートを貼付した構成としてもよい。
【００５３】
さらに、本体部２を、幅方向に伸縮自在な構成とし、被清掃面の幅に合わせて大きさを調節できるようにしてもよい。
【００５４】
上記の実施の形態では、被清掃面を、遊技機で使用される遊技媒体を移送する補給装置１２０の樋１３０として説明したが、補給装置１２０の樋１３０に限定されない事はもちろんである。例えば、被清掃面として壁や棚の上などに対して押圧力が付与されながら密着した状態で清掃することができる。
【符号の説明】
【００５５】
１        清掃具
２        本体部
２ａ      先端部
２ｂ      基端部
２ｃ      重ね合わせ部
２１      ボルト
３        磁石（押圧力付与手段）
４        磁石カバー（凸状部）
４ａ      山部
４ｂ      平面部
５        把持部
６        シート押さえ部
６ａ      先端部
６１      蝶ネジ
１００    補給装置（遊技媒体移送装置）
１１０    メインレーン
１２０    スノコ
１３０    樋
１３１    樋入口
Ｓ        清掃シート
【図１】
2015205119.tif 000003
【図２】
2015205119.tif 000004
【図３】
2015205119.tif 000005
【図４】
2015205119.tif 000006
【図５】
2015205119.tif 000007
【図６】
2015205119.tif 000008
【図７】
2015205119.tif 000009
【図８】
2015205119.tif 000010
【図９】
2015205119.tif 000011
【図１０】
2015205119.tif 000012
【図１１】
2015205119.tif 000013
【図１２】
2015205119.tif 000014
【図１３】
2015205119.tif 000015